(57)【特許請求の範囲】
【請求項１】
板状建材の表面を塗装する第１ノズルヘッドと、該板状建材のコーナー部を塗装する第２ノズルヘッドとを備えたインクジェット塗装装置による板状建材の塗装方法であって、
前記第１ノズルヘッドで、前記板状建材の縁部から所定幅より内側表面を塗装し、
インク吐出口を有する前記第２ノズルヘッドを略水平に保持された前記板状建材の側辺部に対して外側斜め上方の位置に配置し、前記板状建材の側辺部において表面と端面とが交差するコーナー部に向かって前記インク吐出口からインク滴を斜め上方より吐出し、
前記板状建材の側辺部において前記板状建材の表面と端面とに跨る前記コーナー部の前記コーナー部を含む近傍領域を塗装することを特徴とする板状建材の塗装方法。
【請求項２】
請求項１において、  前記板状建材として、前記コーナー部に面取り加工が施されたものを使用し、該面取り加工が施されている面取り加工面を含めて前記近傍領域を塗装することを特徴とする板状建材の塗装方法。
【請求項３】
請求項１又は請求項２において、
前記第２ノズルヘッドによって前記板状建材の斜め上方から、前記近傍領域を塗装する際には、前記板状建材の表面及び端面を塗装する際よりも、前記インク滴の吐出量を多くする制御がなされることを特徴とする板状建材の塗装方法。
【発明の詳細な説明】
【技術分野】
【０００１】
本発明は、住宅等の建築物における床材、階段材、壁材、天井材等の内装材や、扉等の建具材、家具の外装材として使用される板状建材の塗装方法に関するものである。
【背景技術】
【０００２】
上述のような板状建材に対して、より意匠性の高い模様、色彩等を付与する塗装方法として、インクジェット塗装が注目されている。インクジェット塗装によれば、被塗材となる板状建材に対して非接触の状態でインク滴を吐出することができるので、板状建材の表面形状が凹凸を有するものであっても適用することができ、また必要とする箇所に対してのみ模様付けを行うことも可能である。
【０００３】
板状の直方体からなる板状建材をインクジェット塗装する場合は、塗装面を一度に塗装することも可能ではあるが、まず水平に載置された板状建材の表面を塗装した後、板状建材の端面（木口）を水平方向からインク滴を吐出させて塗装される。
このような塗装方法によると、板状建材の厚みが厚い場合は、板状建材のコーナー部（縁部）に塗り残しが生じたり、板状建材の厚みが薄い場合は、表面にまでインク滴が飛んで舞い散って、２重塗装や塗りムラの原因となることが問題となっていた。塗り残しや２重塗装が生じると、板状建材の表面と端面とが外観上異なったものとなるため、外観不良が発生してしまう。
【０００４】
下記特許文献１には、板材（板状建材）の端面の上部にテーパー面を形成し、板材の斜め上方から配置したノズルから塗料をテーパー面の上端よりも下側に噴射して塗装を行うことが記載されている。
しかしながら、板状建材の縁部にテーパー面が形成されている必要があり、テーパー面を有していない板状建材には、適用できない塗装方法であった。またここに記載の塗装方法は、スプレー塗装によるものであり、テーパー面に塗布された塗料が噴霧圧等の力によりテーパー面に沿って上昇してテーパー面の上端にまで到達させることができるというものであるため、上述のインクジェット塗装によるものには適用できない塗装方法であった。
【０００５】
下記特許文献２には、インクジェット塗装によるプレート状ワークの塗装装置及び塗装方法が開示されている。ここには、旋回アームに据え付けた複数の印刷ヘッドを備えた装置が記載されており、該旋回アームによって、プレート状ワークの表面を塗装する際には、印刷ヘッドのノズル開口を下に向けて塗装し、プレート状ワークの端面を塗装する際には、ノズル開口を水平方向に向けて塗装することができる（特許文献２、図２−ｂ参照）。また印刷範囲の縁部に存在するノズル開口から噴射されるインク量と印刷範囲中央部にあるノズル開口から噴射されるインク量とは異なる量が噴射されるよう印刷ヘッドを制御することが記載されている。
これによれば、印刷ヘッドの角度を旋回アームによって可変することができるので、一台の印刷ユニットで、プレート状ワークの表面及び端面を塗装することができる。
【特許文献１】特開２００６−１２２７５４号公報
【特許文献２】特開２００６−３１５４００号公報
【発明の開示】
【発明が解決しようとする課題】
【０００６】
しかしながら、上記特許文献２には、印刷ヘッドの角度を可変することや、印刷範囲の縁部に存在するノズル開口が印刷範囲中央部にあるノズル開口とは異なる量のインクを噴射するよう印刷ヘッドを制御することが開示されているが、板状建材の縁部の塗り残しや２重塗装等の問題を解決するものではなかった。
【０００７】
本発明は、このような事情を考慮して提案されたもので、その目的は、板状建材の塗り残し、２重塗装或いは塗りムラを防止し、良好な塗装が行える板状建材の塗装方法を提供することにある。
【課題を解決するための手段】
【０００８】
上記目的を達成するために、請求項１に記載の板状建材の塗装方法は、板状建材の表面を塗装する第１ノズルヘッドと、該板状建材のコーナー部を塗装する第２ノズルヘッドとを備えたインクジェット塗装装置による板状建材の塗装方法であって、前記第１ノズルヘッドで、前記板状建材の縁部から所定幅より内側表面を塗装し、インク吐出口を有する前記第２ノズルヘッドを略水平に保持された前記板状建材の側辺部に対して外側斜め上方の位置に配置し、前記板状建材の側辺部において表面と端面とが交差するコーナー部に向かって前記インク吐出口からインク滴を斜め上方より吐出し、前記板状建材の側辺部において前記板状建材の表面と端面とに跨る前記コーナー部の前記コーナー部を含む近傍領域を塗装することを特徴とする。
【０００９】
請求項２に記載の板状建材の塗装方法は、請求項１において、前記板状建材として、前記コーナー部に面取り加工が施されたものを使用し、該面取り加工が施されている面取り加工面を含めて前記近傍領域を塗装することを特徴とする。
【００１０】
請求項３に記載の板状建材の塗装方法は、前記板状建材の斜め上方から、前記近傍領域を塗装する際には、前記板状建材の表面及び端面を塗装する際よりも、前記インク滴の吐出量を多くする制御がなされることを特徴とする。
【発明の効果】
【００１１】
請求項１に記載の板状建材の塗装方法によれば、予め第１ノズルヘッドによって塗り残ししてあった所定幅部分が２重塗装されることがないので、塗りムラの発生も防止することができる。また板状建材の側辺部において表面と端面とが交差するコーナー部に向かって、第２ノズルヘッドのインク吐出口からインク滴を斜め上方より吐出するので、この吐出されたインク滴は全て板状建材を外すことなく、表面と端面とに跨るコーナー部のコーナー部を含む近傍領域に向かい、該近傍領域を確実に塗装することができる。従って、前記近傍領域の塗り残しが発生することがなく、しかも一部のインク滴が板状建材を外すことも防止され、余分なインクの飛沫が飛散することもなく、良好な塗装が行える。
【００１２】
請求項２に記載の板状建材の塗装方法によれば、コーナー部に面取り加工が施された板状建材を使用する場合でも、面取り加工が施されている面取り加工面を含めて前記近傍領域を塗装するので、塗り残しが生じず、良好な塗装が行える。
【００１３】
請求項３に記載の板状建材の塗装方法によれば、第２ノズルヘッドによって板状建材の斜め上方から、前記近傍領域を塗装する際には、前記板状建材の表面及び端面を塗装する際よりも、前記インク滴の吐出量を多くする制御がなされるので、前記近傍領域に塗り残しが発生することないだけでなく、板状建材の表面、端面及びコーナー部の色味が均一となり、良好な塗装が行える。従って、外観のよい板状建材を得ることができる。すなわち、板状建材のコーナー部を含む近傍領域に対して、斜め上方からインク滴を吐出させると、表面或いは端面を塗装する際よりも、インク滴の噴射間隔（ドットの間隔）が大となり、塗装面の発色が薄くなってしまうため、表面及び端面と同じ色味となるようインク滴の吐出量を多くする制御を行う。これにより、板状建材の表面、端面及びコーナー部の色味を均一となり、良好な塗装が行える。
【発明を実施するための最良の形態】
【００１４】
以下に、まずは本発明の第１の実施形態について、添付図面とともに説明する。
図１は、本発明に係る板状建材の塗装方法の一例を説明するための説明図であり、（ａ）は概略平面図、（ｂ）は要部拡大縦断面図、図２は同実施形態に係る板状建材の塗装方法を実行するためのインクジェット塗装装置の一例を示すブロック図、図３〜図５は同実施形態に係る塗装方法を示す要部拡大縦断面図である。
図中、１はインクジェット塗装装置、２は板状建材、２０は板状建材２の表面、２１は端面、２２は表面２０及び端面２１とが交差するコーナー部、２２ａは板状建材２の縁部（側辺部）、３は板状建材２が水平に載置され、ベルトコンベア等の搬送手段３０を備えた基台、１０はインクジェット塗装装置１を操作制御し塗装データを設定するための制御装置、１１は複数のインク吐出口１３を備えたインクジェットヘッド、１２はインクジェットヘッド１１を支持する支持アームである。ここで、図１（ａ）及び（ｂ）は、板状建材２のコーナー部２２の塗装方法、図３はコーナー部２２の他、表面２０及び端面２１の塗装方法、図４は表面２０の塗装方法、図５は端面２１の塗装方法を夫々示しており、図１（ａ）に示すインクジェットヘッド１１はコーナー部２２を塗装するための第２ノズルヘッド（図２参照）を備えたものを示している。また図１（ａ）の白抜矢印は板状建材２の搬送方向である。
被塗材となる板状建材２は端面２１が表面２０に対して垂直な直方体形状のものを塗装することができ、板状建材２としては、木材、熱硬化性樹脂材、熱可塑性樹脂材の他、合板、中質繊維板（ＭＤＦ）のような複層構成材、ツキ板、メラミン貼付け合板等の複合材が挙げられる。
【００１５】
図２に示すようにインクジェット塗装装置１は操作手段１ｂ、板状建材２の厚みやコーナー部２２の形状に応じてインク吐出口１３から吐出されるインク滴Ａの吐出角度を可変する吐出角度可変手段１ｃ、ＲＯＭ、ＲＡＭ等で構成される記憶手段１ｄ、板状建材２の表面２０を塗装する第１ノズルヘッド１１ａ、コーナー部２２を塗装する第２ノズルヘッド１１ｂ、端面（木口）２１を塗装する第３ノズルヘッド１１ｃとを備えており、制御装置１０に備えたＣＰＵ１ａによって制御され、制御装置１０に設定された塗装データに基づいて、インク滴Ａの色、インク滴Ａの吐出量が制御され、多彩な塗装表現を可能としている。よって、図１（ａ）では板状建材２の模様は、木目模様のものを示しているが、これに限らず、石目、人造大理石柄、天然皮革の表面柄、布目、抽象柄など種々の模様を板状建材２に塗装することができる。
【００１６】
インク滴Ａは、硬化して硬くなるものが使用され、例えば樹脂、溶剤、硬化剤、添加剤等に基本色を構成する顔料を混合した溶液の中に、シリカ、アルミナ、ジルコンなどの硬質粒子が分散含有されているものが好適に使用できる。
また、インク滴Ａは速乾性、速硬化性のものが好ましく、紫外線（ＵＶ）硬化タイプのものが使用できる。例えばラジカル重合型のＵＶ硬化樹脂、カチオン重合型のＵＶ硬化樹脂などが使用できる。
【００１７】
インクジェットヘッド１１は板状建材２の塗装部位に応じて第１ノズルヘッド１１ａ、第２ノズルヘッド１１ｂ、第３ノズルヘッド１１ｃで構成されており、制御装置１０に接続され、これらは制御装置１０によって制御がなされる。インク吐出口１３の径の大きさやインク吐出口１３同士の間隔（α＝Ｂ、図３参照）はいずれも同じものを用いることができ、インク滴Ａの吐出量やインク滴Ａの吐出角度は、板状建材２の塗装箇所に応じて変えている。第１ノズルヘッド１１ａは、板状建材２の搬送方向に対して垂直な方向に長いラインヘッドとして配置されており（図４参照）、第２ノズルヘッド１１ｂは、図１（ｂ）及び図３に示すように、板状建材２の側辺部に対して斜め上方の位置に対して外側斜め上方の位置に配置されている。
また第３ノズルヘッド１１ｃは、端面２１に対して水平方向にインク吐出口１３が向くよう配置されている（図５参照）。
【００１８】
インクジェットヘッド１１は例えばピエゾ制御方式や光熱交換素子にレーザ光を照射する制御方式により噴射が制御されるようになっており、イエロー、シアン、マゼンタ、ブラックの各塗料の噴射と停止を個別に制御して、色柄パターンに対応したフルカラー印刷による塗装を可能としている。
【００１９】
次に板状建材２の塗装手順について説明する。
まず図４に示すように搬送手段３０によって搬送されてきた板状建材２の表面２０を第１ノズルヘッド１１ａのインク吐出口１３からインク滴Ａを吐出し塗装する。このとき、板状建材２の表面２０と端面２１とに跨り、コーナー部２２を含む近傍領域、すなわち、板状建材２の縁部２２ａから所定幅βより内側のみを塗装しておく。所定幅βはおよそ５ｍｍ程度が望ましい。
次に図１（ｂ）に示すように板状建材２の斜め上方から、表面２０と、該表面に連続する端面２１とが交差するコーナー部２２にインク吐出口１３が向くように、インク吐出口１３から吐出されるインク滴Ａの吐出角度を可変する吐出角度可変手段１ｃによって第２ノズルヘッド１１ｂの角度を調整する。そして所定角度に傾斜させた第２ノズルヘッド１１ｂのインク吐出口１３からインク滴Ａをコーナー部２２に向かって斜め上方向より吐出する。このとき図１（ｂ）に示すように、コーナー部２２の縁部２２ａを中心に、表面２０及び端部２１を塗布する面積が同じになるよう第２ノズルヘッド１１ｂを斜めに傾斜させることが望ましい。
【００２０】
すなわち、図１（ｂ）に基づいていえば、縁部２２ａに達して塗布されるインク滴Ａを挟んで、噴射されるインク滴Ａ同士の距離が同じ（β＝γ）になることが望ましい。すると表面２０と端面２１とに跨り、コーナー部２２を含む近傍領域（インク滴Ａが表面２０の塗装されていない部分（所定幅β）及び端面２１の一部）に対してインク滴Ａが噴射塗布されるため、吐出されたインク滴Ａは全て板状建材２を外すことなくコーナー部２２に向かい、表面側２０と端面側２１の一部に跨った上記近傍領域を確実に塗装することができる、従って、板状建材２のコーナー部２２に塗り残しが発生することなく、外観のよい板状建材２を得ることができる。また、予め塗り残ししてあった所定幅β部分が２重塗装されることがないので、塗りムラの発生も防止することができる。
そして、図５に示すように端面２１のすでに塗布された部分（図１（ｂ）のγ部分）以外を第３ノズルヘッド１１ｃのインク吐出口１３からインク滴Ａを吐出し塗装することにより、塗り残しのない、良好な塗装が行える。
【００２１】
ここで、例えば表面２０を７２０ｄｐｉで塗装するときは、ドットとドットの間隔（インク滴Ａを噴射する間隔）は約３６μｍで塗装される。これと同じインクジェットヘッド１１を用いてインクジェットヘッド１１を斜めに傾斜させてコーナー部２２を塗装すると、ドットとドットの間隔が３６μｍ×ｃｏｓ−１θの間隔になり、表面２０及び端面２１を塗装する際より、インク滴Ａの噴射間隔（ドットの間隔）が大となり、塗装面の発色が薄くなってしまう。そこで、表面２０及び端面２１と同じ色味となるようインク滴Ａの吐出量を表面２０及び端面２１を塗装する際より、多くすることが望ましい。こうすることで、板状建材２の表面２０、端面２１及びコーナー部２２の色味が均一となり、色ムラがなく、より一層意匠性の高い板状建材２を得ることができる。
インク滴Ａの吐出量はインクジェット１１（１１ｂ）の印加電圧を上げたり、ピエゾ制御方式によるものであれば、ＯＮ時間を延ばすことにより、増やすことができる。
【００２２】
尚、ここでは板状建材２の表面２０を塗装してから、コーナー部２２、端面２１を塗装していく方法について説明したがコーナー部２２或いは端面２１を先に塗装してもよく、上述の手順に限定されるものではない。また表面２０、コーナー部２２、端面２１の塗装面の全面を一度に塗装することもできる。またインク吐出口１３の構成は上述に限定されるものではない。
【００２３】
次いで、図６に基づいて、第２の実施形態について説明する。ここで第１の実施形態と共通する部分には共通の符号を付し、その説明は割愛する。
図６に示す例は板状建材２のコーナー部２２に、面取り加工面２３が形成されているものである。このように板状建材２のコーナー部２２にテーパー状の面取り加工面２３が形成されている場合も第１の実施形態と同様に、板状建材２の表面２０のち所定幅βを残して、表面２０を塗装し、吐出角度可変手段１ｃによってインク滴Ａの吐出角度が調整した後、コーナー部２２の塗装を行うことができる。そして、その後、端面２１のすでに塗布された部分（図６のγ部分）以外を塗装する。
これによれば、板状建材２のコーナー部２２に面取り加工面２３が形成されたものであっても、斜め上方からインク滴を吐出することにより、板状建材２の一側面だけが塗装されるのではなく、表面２０及び端面２１を含み、面取り加工面２３が形成されたコーナー部２２を一工程で塗装することができる。よって、コーナー部２２に面取り加工面が形成されている板状建材２であっても、面取り加工面２３を含む近傍領域を塗装するので、塗り残しが生じず、外観のよい板状建材を得ることができ、良好な塗装が行える。
尚、本実施形態においても、上述の手順に限定されるものではなく、板状建材２の塗装面全面を一度に塗装するものにも適用可能であることは言うまでもない。
【図面の簡単な説明】
【００２４】
【図１】本発明に係る第１の実施形態における板状建材の塗装方法の一例を説明するための説明図であり、（ａ）は概略平面図、（ｂ）は要部拡大縦断面図である。
【図２】同実施形態に係る板状建材の塗装方法を実行するためのインクジェット塗装装置の一例を示すブロック図である。
【図３】同実施形態に係る塗装方法を示す要部拡大縦断面図である。
【図４】同実施形態に係る塗装方法を示す要部拡大縦断面図である。
【図５】同実施形態に係る塗装方法を示す要部拡大縦断面図である。
【図６】本発明に係る第２の実施形態における板状建材の塗装方法を示す要部拡大縦断面図である。
【符号の説明】
【００２５】
１        インクジェット塗装装置
１１      インクジェットヘッド
１３      インク吐出口
２        板状建材
２０      表面
２１      端面（木口）
２２      コーナー部
２２ａ    縁部（側辺部）
２３      面取り加工面
Ａ        インク滴
【図１】
0004961301.tif 000002
【図２】
0004961301.tif 000003
【図３】
0004961301.tif 000004
【図４】
0004961301.tif 000005
【図５】
0004961301.tif 000006
【図６】
0004961301.tif 000007